(57)【特許請求の範囲】
【請求項１】
プローブピンを支持するための複数個の貫通孔が設けられた支持ブロックと、
前記支持ブロックの貫通孔内に挿入して固定され、該支持ブロックの一面側に配置される電気部品の接続端子及び他面側に設けられる配線基板の接続部を電気的に接続する複数のプローブピンと、
前記支持ブロックの一面側に設けられ、前記電気部品を収容する矩形状の開口部を有する部品ガイドブロックと、
前記部品ガイドブロックの開口部の周縁に設けられ、前記電気部品の少なくとも１つのコーナー部の２辺に当接し、回転しながら前記開口部内に電気部品を案内するローラーガイドと、
前記ローラーガイドを前記開口部の中心部に向けて付勢し、前記電気部品を位置決めする押圧手段と、を有して成り、
前記ローラーガイドは、その外周面の幅内にて予め定められた角度の傾斜角を有して円周方向に形成された凹溝を備え、その凹溝の傾斜面が前記電気部品のコーナー部の２辺に当接して回転するように構成されている、
ことを特徴とする電気部品用ソケット。
【請求項２】
前記ローラーガイドが設けられたコーナー部に対向する電気部品のコーナー部の２辺に当接し、回転しながら前記開口部内に電気部品を案内する他のローラーガイドを設けたことを特徴とする請求項１記載の電気部品用ソケット。
【請求項３】
プローブピンを支持するための複数個の貫通孔が設けられた支持ブロックと、
前記支持ブロックの貫通孔内に挿入して固定され、該支持ブロックの一面側に配置される電気部品の接続端子及び他面側に設けられる配線基板の接続部を電気的に接続する複数のプローブピンと、
前記支持ブロックの一面側に設けられ、前記電気部品を収容する矩形状の開口部を有する部品ガイドブロックと、
前記部品ガイドブロックの開口部の周縁に設けられ、前記電気部品の４つのコーナー部の２辺にそれぞれ当接し、回転しながら前記開口部内に電気部品を案内するローラーガイドと、
前記ローラーガイドを前記開口部の中心部に向けて付勢し、前記電気部品を位置決めする押圧手段と、
を有して成り、
前記ローラーガイドは、その外周面の幅内にて予め定められた角度の傾斜角を有して円周方向に形成された凹溝を備え、その凹溝の傾斜面が前記電気部品のコーナー部の２辺に当接して回転するように構成されている、
ことを特徴とする電気部品用ソケット。
【発明の詳細な説明】
【技術分野】
【０００１】
本発明は、ＩＣパッケージ等の電気部品の性能試験等に使用される電気部品用ソケットに関し、詳しくは、試験対象の電気部品を部品ガイドブロックの開口部に収容する際に、前記開口部内に電気部品を案内する案内部材の設置数を減少すると共に、小型の電気部品にも対応可能とする電気部品用ソケットに係るものである。
【背景技術】
【０００２】
従来のこの種の電気部品用ソケットは、プローブを支持するため複数個の貫通孔が設けられた板状の支持ブロックの貫通孔内に信号用、電源用等のプローブが設けられ、前記支持ブロックの一面側に被検査デバイス（ＩＣなど）をガイドする平面形状が四角形状の開口部を有するデバイスガイドが該支持ブロックの表面に設けられ、前記デバイスガイドの開口部の中心位置に、前記被検査デバイスの位置を調整する被検査デバイスのセンタリング機構が設けられていた（例えば、特許文献１参照）。
【０００３】
そして、前記センタリング機構は、前記被検査デバイスを一時的に支持し、荷重により上下動し得る支柱と、前記デバイスガイドの開口部のそれぞれの一辺側に、少なくとも一部がそれぞれ前記開口部側に露出し、かつ、該一辺と実質的に平行な回転軸を有するように設けられたローラーガイドと、前記ローラーガイドを前記一辺と垂直方向に移動させ得る押圧手段とを有し、前記開口部の中心位置に前記被検査デバイスの位置を調整するようになっていた（特許文献１の図１参照）。
【先行技術文献】
【特許文献】
【０００４】
【特許文献１】特開２００８−３４１７３号公報
【発明の概要】
【発明が解決しようとする課題】
【０００５】
しかし、前記従来の電気部品用ソケットにおいては、前記デバイスガイドの四角形状の開口部のそれぞれの一辺側に、該一辺と平行な回転軸を有するローラーガイドを設け、前記開口部に収容される被検査デバイスの４辺に対して、前記それぞれのローラーガイドを前記押圧手段により前記一辺と垂直方向に移動させて、前記開口部の中心位置に被検査デバイスの位置を調整していたので、１個の被検査デバイスを位置決めするためのローラーガイドが４個必要となる。これでは、電気部品用ソケットに装着するローラーガイドの個数が多くなると共に、電気部品用ソケットも大型化することがあった。
【０００６】
また、近年、試験対象のＩＣパッケージ等の高集積化に伴い、電気部品用ソケットにおいて電気部品の接続端子と配線基板の接続部とを電気的に接続する複数のプローブピンの狭ピッチ化が求められており、前記ＩＣパッケージ等が小型化しているが、小型のＩＣパッケージ等には、前述のローラーガイドが設置できないことがあった。
【０００７】
そこで、このような問題点に対処し、本発明が解決しようとする課題は、試験対象の電気部品を部品ガイドブロックの開口部に収容する際に、前記開口部内に電気部品を案内する案内部材の設置数を減少すると共に、小型の電気部品にも対応可能とする電気部品用ソケットを提供することにある。
【課題を解決するための手段】
【０００８】
前記課題を解決するために、本発明による電気部品用ソケットは、プローブピンを支持するための複数個の貫通孔が設けられた支持ブロックと、前記支持ブロックの貫通孔内に挿入して固定され、該支持ブロックの一面側に配置される電気部品の接続端子及び他面側に設けられる配線基板の接続部を電気的に接続する複数のプローブピンと、前記支持ブロックの一面側に設けられ、前記電気部品を収容する矩形状の開口部を有する部品ガイドブロックと、前記部品ガイドブロックの開口部の周縁に設けられ、前記電気部品の少なくとも１つのコーナー部の２辺に当接し、回転しながら前記開口部内に電気部品を案内するローラーガイドと、前記ローラーガイドを前記開口部の中心部に向けて付勢し、前記電気部品を位置決めする押圧手段と、を有して成り、前記ローラーガイドは、その外周面の幅内にて予め定められた角度の傾斜角を有して円周方向に形成された凹溝を備え、その凹溝の傾斜面が前記電気部品のコーナー部の２辺に当接して回転するように構成されている、ものである。
【０００９】
また、本発明の他の手段による電気部品用ソケットは、プローブピンを支持するための複数個の貫通孔が設けられた支持ブロックと、前記支持ブロックの貫通孔内に挿入して固定され、該支持ブロックの一面側に配置される電気部品の接続端子及び他面側に設けられる配線基板の接続部を電気的に接続する複数のプローブピンと、前記支持ブロックの一面側に設けられ、前記電気部品を収容する矩形状の開口部を有する部品ガイドブロックと、前記部品ガイドブロックの開口部の周縁に設けられ、前記電気部品の４つのコーナー部の２辺にそれぞれ当接し、回転しながら前記開口部内に電気部品を案内するローラーガイドと、前記ローラーガイドを前記開口部の中心部に向けて付勢し、前記電気部品を位置決めする押圧手段と、を有して成り、前記ローラーガイドは、その外周面の幅内にて予め定められた角度の傾斜角を有して円周方向に形成された凹溝を備え、その凹溝の傾斜面が前記電気部品のコーナー部の２辺に当接して回転するように構成されている、ものである。
【発明の効果】
【００１０】
本発明による電気部品用ソケット（請求項１）によれば、支持ブロックの一面側に設けられ、電気部品を収容する矩形状の開口部を有する部品ガイドブロックの開口部の周縁に設けられて前記電気部品の少なくとも１つのコーナー部の２辺に当接し、回転しながら前記開口部内に電気部品を案内するローラーガイドと、前記ローラーガイドを前記開口部の中心部に向けて付勢する押圧手段とを有して成り、前記ローラーガイドは、その外周面の幅内にて予め定められた角度の傾斜角を有して円周方向に形成された凹溝を備え、その凹溝の傾斜面が前記電気部品のコーナー部の２辺に当接して回転するように構成されていることにより、前記電気部品を位置決めすることができる。したがって、前記電気部品の少なくとも１つのコーナー部に対応する位置にローラーガイドを設け、そのローラーガイドを前記開口部の中心部に向けて付勢する押圧手段を設けるだけで、前記開口部内に電気部品を案内する案内部材の設置数を減少又は小型化すると共に、小型の電気部品にも対応可能とすることができる。
【００１１】
また、本発明の他の手段による電気部品用ソケット（請求項３）によれば、支持ブロックの一面側に設けられ、電気部品を収容する矩形状の開口部を有する部品ガイドブロックの開口部の周縁に設けられて前記電気部品の４つのコーナー部の２辺にそれぞれ当接し、回転しながら前記開口部内に電気部品を案内するローラーガイドと、前記ローラーガイドを前記開口部の中心部に向けて付勢する押圧手段とを有して成り、前記ローラーガイドは、その外周面の幅内にて予め定められた角度の傾斜角を有して円周方向に形成された凹溝を備え、その凹溝の傾斜面が前記電気部品のコーナー部の２辺に当接して回転するように構成されていることにより、前記電気部品を位置決めすることができる。したがって、前記電気部品の４つのコーナー部に対応する位置にそれぞれ１個のローラーガイドを設け、そのローラーガイドを前記開口部の中心部に向けて付勢する押圧手段を設けるだけで、前記開口部内に電気部品を案内する案内部材の設置数を減少又は小型化すると共に、小型の電気部品にも対応可能とすることができる。
【図面の簡単な説明】
【００１２】
【図１】本発明による電気部品用ソケットの実施形態を示す斜視図である。
【図２】本発明による電気部品用ソケットの第１の実施形態を一部破断（ローラーガイド及び押圧手段のカバーを破断）して示す平面図である。
【図３】部品ガイドブロックの開口部に電気部品を挿入した状態を示す平面図である。
【図４】前記部品ガイドブロックの開口部に電気部品を挿入する状態を示す説明図であり、（ａ）は前記開口部に電気部品を挿入する途中の状態を示す図３のＡ−Ａ線断面図であり（ｂ）は前記開口部に電気部品を挿入して着座した状態を示す図３のＡ−Ａ線断面図である。
【図５】前記部品ガイドブロックの開口部の周縁に設けられるローラーガイドを示す説明図であり、（ａ）はローラーガイドの斜視図であり、（ｂ）はその正面図であり、（ｃ）は（ｂ）のＢ−Ｂ線断面図である。
【図６】前記電気部品用ソケットの第１の実施形態に適用される押圧手段の実施例を示す部分拡大図である。
【図７】本発明による電気部品用ソケットの第２の実施形態を一部破断（ローラーガイド及び押圧手段のカバーを破断）して示す平面図である。
【図８】前記電気部品用ソケットの第２の実施形態に適用される押圧手段の実施例を示す部分拡大図である。
【図９】本発明による電気部品用ソケットの第３の実施形態を一部破断（ローラーガイド及び押圧手段のカバーを破断）して示す平面図である。
【図１０】前記電気部品用ソケットの第３の実施形態に適用される押圧手段の実施例を示す部分拡大図である。
【図１１】前記部品ガイドブロックの開口部の周縁にローラーガイドを設ける他の実施形態を示す平面図である。
【図１２】図１１に示す実施形態の部品ガイドブロックの開口部に電気部品を挿入した状態を示す平面図である。
【発明を実施するための形態】
【００１３】
以下、本発明の実施の形態を添付図面に基づいて説明する。
図１は本発明による電気部品用ソケットの実施形態を示す斜視図であり、図２はその第１の実施形態を一部破断して示す平面図である。この電気部品用ソケットは、ＩＣパッケージ等の電気部品の性能試験等に使用されるもので、支持ブロック１と、プローブピン２（図１では見えていない）と、部品ガイドブロック３と、ローラーガイド４と、押圧手段５（図１では見えていない）とを有している。
【００１４】
支持ブロック１は、後述のプローブピン２を支持するもので、その中央部には該プローブピン２を支持するための複数個の貫通孔６が穿設されている。
【００１５】
前記支持ブロック１には、図４に示すように、複数のプローブピン２が支持されている。このプローブピン２は、支持ブロック１の一面側に配置される例えば矩形状の電気部品７（図３参照）の接続端子及び支持ブロック１の他面側に設けられる配線基板（図示省略）の接続部を電気的に接続するもので、支持ブロック１の貫通孔６内に挿入して固定されている。なお、電気部品７は、例えばイメージセンサであり、その上面側は開放されている。
【００１６】
前記支持ブロック１の一面側には、部品ガイドブロック３が設けられている。この部品ガイドブロック３は、支持ブロック１の一面側に配置される電気部品７の収容を案内するもので、電気部品７を案内して収容する矩形状の開口部８を有している。
【００１７】
前記部品ガイドブロック３の開口部８の周縁には、ローラーガイド４が設けられている。このローラーガイド４は、電気部品７の少なくとも１つのコーナー部９（図３参照）の２辺に当接し、回転しながら開口部８内に電気部品７を案内するもので、図１〜図３では、電気部品７の４つのコーナー部９の２辺にそれぞれ当接するように４個設けられている。なお、電気部品７のサイズが大小に変わっても、各ローラーガイド４の設置位置をずらすだけで、どのようなサイズ、タイプの電気部品７にも対応できる。
【００１８】
前記部品ガイドブロック３の開口部８の周縁には、ローラーガイド４を開口部８の中心部に向けて付勢し、電気部品７を位置決めする押圧手段を有しているが、これについては後述する。
【００１９】
なお、図１において、符号１０はこの電気部品用ソケットのベース部材となる本体を示し、符号１１は部品ガイドブロック３の開口部８に収容される電気部品７を固定するために開閉操作するラッチを示し、符号１２はそのラッチ１１の先端部に設けられ、電気部品７の上面を押さえて固定する掛止片を示している。なお、ラッチ１１は、その先端部と外側部との中間位置に設けられた支持軸で回動可能とされている。
【００２０】
また、図１〜図３においては、ローラーガイド４を、前記開口部８に収容される電気部品７の４つのコーナー部９の２辺にそれぞれ当接するように４個設けた例を示したが、本発明はこれに限らず、ローラーガイド４が設けられた１つのコーナー部９に対向する電気部品７のコーナー部９の２辺に当接、回転して開口部８内に電気部品７を案内する他のローラーガイド４（電気部品７を間にして相対向する２個のローラーガイド４）を設けたものとしてもよい。この場合は、ローラーガイド４の設置数を半減することができる。
【００２１】
図５は、前記部品ガイドブロック３の開口部８の周縁に設けられるローラーガイド４を示す説明図である。このローラーガイド４は、図３に示すように、部品ガイドブロック３の開口部８に収容される電気部品７の少なくとも１つのコーナー部９の２辺に当接し、回転しながら開口部８内に電気部品７を案内するもので、図５に示すように、所定の直径を有する短寸のローラー状に形成され、その外周面の幅内にて予め定められた角度、例えば９０度の傾斜角を有して円周方向に形成された凹溝１３を備え（図５（ｂ）参照）、その凹溝１３の両側に形成された、頂部が切断されて断面形状が台形となっている円錐状の傾斜面４ａ，４ｂが電気部品７のコーナー部９の２辺に当接して回転するように構成されている。なお、図５（ｃ）において、符号１４はローラーガイド４を回転可能に支持する回転軸が挿入される軸孔を示している。
【００２２】
また、図５（ｂ）において、符号Ｗは前記凹溝１３の底部に形成された円周方向の凹条１５（図５（ｃ）参照）の幅を示しており、符号１６はローラーガイド４の両外側面に形成された回転滑動のためのスペーサを示している。
【００２３】
図６は、第１の実施形態による電気部品用ソケットに適用される押圧手段５の実施例を示す部分拡大図である。この押圧手段５は、図２に示すローラーガイド４を部品ガイドブロック３の開口部８の中心部に向けて付勢し、電気部品７を位置決めするもので、図６に示すように、図５（ｃ）に示すローラーガイド４の軸孔１４に回転可能に挿入された回転軸１７と、その回転軸１７の両端部と部品ガイドブロック３の所定部位との間に設けられたコイルバネ１８とを有して成る。この場合、図６（ａ）に示す状態は、部品ガイドブロック３の開口部８に電気部品７を収容していない定常状態を示しており、コイルバネ１８は、伸びも縮みもしない通常の長さを保っている。この時、ローラーガイド４の凹溝１３の傾斜面４ａ，４ｂは、矩形状の開口部８の辺部の延長上に一致するようになっている。一方、図６（ｂ）に示す状態は、部品ガイドブロック３の開口部８に電気部品７を収容しつつある可動状態を示しており、電気部品７の１つのコーナー部９の２辺がローラーガイド４の凹溝１３の傾斜面４ａ，４ｂに当接してローラーガイド４を矢印Ｃ方向に押した時に、コイルバネ１８が縮む際の反発力でローラーガイド４を部品ガイドブロック３の開口部８の中心部に向けて付勢し、開口部８内に電気部品７を収容した状態でその電気部品７を位置決めするようになっている。
【００２４】
次に、このように構成された第１の実施形態による電気部品用ソケットの使用及び動作について、図１〜図６を参照して説明する。まず、図１及び図２は、部品ガイドブロック３の開口部８に電気部品７を収容していない状態を示している。この状態では、前記開口部８の両サイドに設けられたラッチ１１は操作されておらず、その先端部の掛止片１２は開口部８の上面に載置されて閉じている。
【００２５】
この状態で、ＩＣパッケージ等の電気部品７の性能試験を行うため、図１及び図２において、ラッチ１１の外側部に位置する操作片を押し下げて部品ガイドブロック３の開口部８の上方を開く。これにより、開口部８の上方が解放されて電気部品７の収容が可能になる。そこで、ロボットハンド（又は人手等）により試験対象の電気部品７を摘み上げ、開口部８の上方へ搬送して、図３及び図４（ａ）に示すように、開口部８の周縁に設けられた例えば４個のローラーガイド４が囲む範囲内に電気部品７が位置するように載置する。このとき、電気部品７の４つのコーナー部９が、図５（ｂ）に示すローラーガイド４の凹溝１３にそれぞれ合致するようにする。
【００２６】
この状態で、図４（ａ）に示すように、電気部品７を載置するとその電気部品７の自重により、電気部品７の４つのコーナー部９の２辺がローラーガイド４の凹溝１３の傾斜面４ａ，４ｂ（図５参照）に当接し、該ローラーガイド４が回転しながら開口部８内に電気部品７が矢印Ｄのように下降するのを案内する。これにより、図４（ｂ）に示すように、電気部品７は、例えば４個のローラーガイド４に４つのコーナー部９を挟まれた状態で停止する（図３参照）。
【００２７】
このとき、図６（ａ）に示すように、ローラーガイド４は定常状態から、電気部品７のコーナー部９によって矢印Ｃ方向に押されて（図６（ｂ）参照）、押圧手段５のコイルバネ１８が縮む。このコイルバネ１８が縮む際の反発力でローラーガイド４を部品ガイドブロック３の開口部８の中心部に向けて付勢し、開口部８内に収容された電気部品７が位置決めされる。その後、ＩＣパッケージ等の電気部品７に対して所定の手順で性能試験を行えばよい。
【００２８】
図７は本発明による電気部品用ソケットの第２の実施形態を一部破断して示す平面図であり、図８はこの第２の実施形態に適用される押圧手段の実施例を示す部分拡大図である。この実施形態は、押圧手段５としてクッション材１９を用いたものであり、その他は図２及び図６に示す第１の実施形態と同様である。この場合、図８（ａ）に示す状態は、部品ガイドブロック３の開口部８に電気部品７を収容していない定常状態を示しており、クッション材１９は、伸びも縮みもしない通常の長さを保っている。この時、ローラーガイド４の凹溝１３の傾斜面４ａ，４ｂは、矩形状の開口部８の辺部の延長上に一致するようになっている。一方、図８（ｂ）に示す状態は、部品ガイドブロック３の開口部８に電気部品７を収容しつつある可動状態を示しており、電気部品７の１つのコーナー部９の２辺がローラーガイド４の凹溝１３の傾斜面４ａ，４ｂに当接してローラーガイド４を矢印Ｃ方向に押した時に、クッション材１９が縮む際の反発力でローラーガイド４を部品ガイドブロック３の開口部８の中心部に向けて付勢し、開口部８内に電気部品７を収容した状態でその電気部品７を位置決めするようになっている。
【００２９】
図９は本発明による電気部品用ソケットの第３の実施形態を一部破断して示す平面図であり、図１０はこの第３の実施形態に適用される押圧手段の実施例を示す部分拡大図である。この実施形態は、押圧手段５としてトーションバネ２０を用いたものであり、その他は図２及び図６に示す第１の実施形態と同様である。この場合、図１０（ａ）に示す状態は、部品ガイドブロック３の開口部８に電気部品７を収容していない定常状態を示しており、トーションバネ２０は、変形しないで非作用の通常の形を保っている。この時、ローラーガイド４の凹溝１３の傾斜面４ａ，４ｂは、矩形状の開口部８の辺部の延長上に一致するようになっている。一方、図１０（ｂ）に示す状態は、部品ガイドブロック３の開口部８に電気部品７を収容しつつある可動状態を示しており、電気部品７の１つのコーナー部９の２辺がローラーガイド４の凹溝１３の傾斜面４ａ，４ｂに当接してローラーガイド４を矢印Ｃ方向に押した時に、トーションバネ２０が変形する際の反発力でローラーガイド４を部品ガイドブロック３の開口部８の中心部に向けて付勢し、開口部８内に電気部品７を収容した状態でその電気部品７を位置決めするようになっている。
【００３０】
図１１は前記部品ガイドブロック３の開口部８の周縁にローラーガイド４を設ける他の実施形態を示す平面図であり、図１２は図１１に示す実施形態の部品ガイドブロック３の開口部８に電気部品７を挿入した状態を示す平面図である。この実施形態は、部品ガイドブロック３の開口部８の周縁にて、電気部品７の１つのコーナー部９の２辺に当接して回転しながら開口部８内に電気部品７を案内するローラーガイド４を１個設けたものである。すなわち、図３に示す実施形態では、ローラーガイド４を、部品ガイドブロック３の開口部８に収容される電気部品７の４つのコーナー部９の２辺にそれぞれ当接するように４個設けた例を示したが、この実施形態では、電気部品７の１つのコーナー部９に対応する箇所にローラーガイド４を１個だけ設けたものである。この場合は、電気部品７のその他のコーナー部９に対応する箇所にはローラーガイド４を設けずに、該ローラーガイド４の設置数を更に減らすことができる。
【００３１】
なお、この実施形態では、図１２に示すように、ローラーガイド４が設けられていない箇所における電気部品７の３つのコーナー部９の位置決めは、前記ローラーガイド４を付勢する押圧手段５の反発力により、前記３つのコーナー部９の２辺が当接する開口部８の周縁によって位置決めされるようになっている。この場合、電気部品７の位置決めは、図３の場合に比べて、図１２上でやや右上方にずれることとなるが、その位置ずれについては予め調査して性能試験用の配線基板の位置を調整しておけばよい。
【符号の説明】
【００３２】
１…支持ブロック
２…プローブピン
３…部品ガイドブロック
４…ローラーガイド
４ａ，４ｂ…傾斜面
５…押圧手段
６…貫通孔
７…電気部品
８…開口部
９…コーナー部
１１…ラッチ
１２…掛止片
１３…凹溝
１７…ローラーガイドの回転軸
１８…コイルバネ（押圧手段）
１９…クッション材（押圧手段）
２０…トーションバネ（押圧手段）
【図１】
0006647917.tif 000002
【図２】
0006647917.tif 000003
【図３】
0006647917.tif 000004
【図４】
0006647917.tif 000005
【図５】
0006647917.tif 000006
【図６】
0006647917.tif 000007
【図７】
0006647917.tif 000008
【図８】
0006647917.tif 000009
【図９】
0006647917.tif 000010
【図１０】
0006647917.tif 000011
【図１１】
0006647917.tif 000012
【図１２】
0006647917.tif 000013